(57)【特許請求の範囲】
【請求項１】
縦方向及びそれに直交する横方向を有し、肌対向面及び非肌対向面と、前ウエスト域と、後ウエスト域と、前記前後ウエスト域間に位置するクロッチ域とを含む使い捨て着用物品において、
前記前後ウエスト域が、弾性ウエストパネルによって形成され、前記クロッチ域が、前記弾性ウエストパネルの外面に取り付けられた、吸液構造体を有するクロッチ本体によって形成されており、
前記弾性ウエストパネルは少なくとも前記横方向へ弾性的に収縮可能であって、
前記クロッチ本体は、前記縦方向に延びる矩形状であり、前記吸液構造体の前記横方向の外側に位置する両側部を有しており、
前記クロッチ本体の前記両側部は、前記横方向の内側に折り曲げられて、前記縦方向に弾性的に収縮可能な一対のサイド弾性部を形成し、
前記吸液構造体を含む前記クロッチ域の前記縦方向における中央部のカンチレバー剛軟度は、１５〜１４０ｍｍであって、
前記サイド弾性部の一方の内側縁から他方の内側縁までの長さ寸法が、前記前後ウエスト域を前記横方向へ伸長させた状態における、前記前後ウエスト域のいずれか一方におけるウエスト開口縁部の前記横方向の長さ寸法の０．５〜１．０倍であって、
前記吸液構造体は、吸収性ポリマー粒子を透液性シートで被包したシート形状を有し、前記吸液構造体を含む前記クロッチ域の前記中央部のその厚さ寸法が５．０ｍｍ以下であることを特徴とする前記着用物品。
【請求項２】
前記一対のサイド弾性部には、ストリング状又はストランド状の複数条のレッグ弾性要素が配設されており、前記レッグ弾性要素は、前記サイド弾性部の内側縁に沿って前記縦方向へ直状に延びる第１レッグ弾性要素と、前記第１レッグ弾性要素の前記横方向の外方に位置し、前記クロッチ域の前記中央部近傍において内方へ凹曲する湾曲形状の第２レッグ弾性要素とを有する請求項１に記載の着用物品。
【請求項３】
前記クロッチ本体の前後端部は、接合域を介して前記弾性ウエストパネルの外面に取り付けられるとともに、前記接合域によって画成され、前記クロッチ本体の前記横方向における中央部に位置する非接合部位を有しており、前記非接合部位において前記弾性ウエストパネルと前記クロッチ本体の前記前後端部とによって画成された空間部が形成されている請求項１又は２に記載の着用物品。
【請求項４】
前記吸液構造体は、前記吸収性ポリマー粒子が配置された、前記縦方向において離間する矩形状に画成された吸液域と、前記吸収性ポリマー粒子が配置されていない、前記吸液域を取り囲むように形成された非吸液域とを有する請求項１〜３のいずれかに記載の着用物品。
【請求項５】
前記非吸液域は、前記縦方向において離間する複数の前記吸液域間において、複数の前記横方向へ延びる部分を有する請求項４に記載の着用物品。
【発明の詳細な説明】
【技術分野】
【０００１】
本発明は、使い捨て着用物品に関し、より詳しくは、レッグ開口縁部からの排泄物の横漏れを防止するとともに、排泄物の付着による着用者の身体の汚れを抑制することのできる使い捨ておむつ、使い捨てのトイレット・トレーニングパンツ、使い捨て失禁パンツ、使い捨ての生理用パンツ等の使い捨て着用物品に関する。
【背景技術】
【０００２】
従来、レッグ開口縁部からの排泄物の横漏れを防止するための構成を有する使い捨て着用物品は公知である。例えば、特許文献１には、吸液構造体を固定するシャーシと、シャーシのレッグ開口縁部に取り付けられたレッグ弾性要素とを含む使い捨て着用物品が開示されている。
【先行技術文献】
【特許文献】
【０００３】
【特許文献１】特開２００５−８７６２１号公報
【発明の概要】
【発明が解決しようとする課題】
【０００４】
特許文献１に開示の着用物品によれば、レッグ弾性要素が、レッグ開口縁部の前方側からクロッチ域の中央部に延びる前レッグ弾性要素と、レッグ開口縁部の後方側からクロッチ域の中央部に延びる後レッグ弾性要素とから構成されており、前後レッグ弾性要素が互いにクロッチ域中央部において交差しているので、クロッチ域全体が着用者の身体に密着し、着用中の位置ずれが防止されるとともに、レッグ開口縁部からの排泄物の横漏れを防止することができる。
【０００５】
しかし、かかる着用物品においては、排泄後においてもクロッチ域全体が着用者の身体に密着された状態となるので、着用者の身体に比較的に長時間排泄物が接触又は付着し、不衛生であり、肌の弱い乳幼児や高齢者が着用する場合には、かぶれや湿疹などの肌トラブルを発生するおそれがある。また、着用中において、クロッチ域全体が着用者の身体に密着された状態で排泄されるので、多量の排泄物を保持することができず、排泄物が着用者の背側に移動して比較的に広範囲に亘って着用者の肌を汚すおそれがある。
【０００６】
そこで、本発明は、レッグ開口縁部からの排泄物の横漏れを防止するとともに、排泄物の付着による着用者の身体の汚れを抑制することのできる使い捨て着用物品の提供を課題とする。
【課題を解決するための手段】
【０００７】
前記課題を解決するために、本発明が対象とするのは、縦方向及びそれに直交する横方向を有し、肌対向面及び非肌対向面と、前ウエスト域と、後ウエスト域と、前記前後ウエスト域間に位置するクロッチ域とを含む使い捨て着用物品である。
【０００８】
本発明の特徴とするところは、前記前後ウエスト域が、弾性ウエストパネルによって形成され、前記クロッチ域が、前記弾性ウエストパネルの外面に取り付けられた、吸液構造体を有するクロッチ本体によって形成されており、前記弾性ウエストパネルは少なくとも前記横方向へ弾性的に収縮可能であって、前記クロッチ本体は、前記縦方向に延びる矩形状であり、前記吸液構造体の前記横方向の外側に位置する両側部を有しており、前記クロッチ本体の前記両側部は、前記横方向の内側に折り曲げられて、前記縦方向に弾性的に収縮可能な一対のサイド弾性部を形成し、前記吸液構造体を含む前記クロッチ域の前記縦方向における中央部のカンチレバー剛軟度は、１５〜１４０ｍｍであって、前記サイド弾性部の一方の内側縁から他方の内側縁までの長さ寸法が、前記前後ウエスト域を前記横方向へ伸長させた状態における、前記前後ウエスト域のいずれか一方におけるウエスト開口縁部の前記横方向の長さ寸法の０．５〜１．０倍であって、前記吸液構造体は、吸収性ポリマー粒子を透液性シートで被包したシート形状を有し、前記吸液構造体を含む前記クロッチ域の前記中央部のその厚さ寸法が５．０ｍｍ以下である。
【００１０】
本発明の他の実施態様の一つとしては、前記一対のサイド弾性部には、ストリング状又はストランド状の複数条のレッグ弾性要素が配設されており、前記レッグ弾性要素は、前記サイド弾性部の内側縁に沿って前記縦方向へ直状に延びる第１レッグ弾性要素と、前記第１レッグ弾性要素の前記横方向の外方に位置し、前記クロッチ域の中央部近傍において内方へ凹曲する湾曲形状を有する第２レッグ弾性要素とを有する。
【００１１】
本発明の他の実施形態の一つとしては、前記吸液構造体は、前記吸収性ポリマー粒子が配置された、前記縦方向において離間する矩形状に画成された吸液域と、前記吸収性ポリマー粒子が配置されていない、前記吸液域を取り囲むように形成された非吸液域とを有する。
本発明の他の実施形態の一つとしては、前記非吸液域は、前記縦方向において離間する複数の前記吸液域間において、複数の前記横方向へ延びる部分を有する。
【００１２】
本発明の他の実施形態の一つとしては、前記クロッチ本体の前後端部は、接合域を介して前記弾性ウエストパネルの外面に取り付けられるとともに、前記接合域によって画成され、前記クロッチ本体の前記横方向における中央部に位置する非接合部位を有しており、前記非接合部位において前記弾性ウエストパネルと前記クロッチ本体の前記前後端部とによって画成された空間部が形成されている。
【発明の効果】
【００１３】
本発明に係る使い捨て着用物品によれば、クロッチ本体のサイド弾性部によってレッグ開口縁部からの排泄物の横漏れが防止される。また、吸液構造体の剛性が比較的に低く、かつ、クロッチ本体内には比較的に多量の排泄物を収容することのできる収容スペースが形成されて大きく膨らんだ形状を呈するので、排泄後には、排泄物の自己質量によってクロッチ本体を着用者の身体から離間させ、排泄物によって着用者の身体が汚れるのを抑制することができる。
【図面の簡単な説明】
【００１４】
【図１】本発明の使い捨て着用物品の一例として示す、使い捨ておむつの斜視図。
【図２】おむつのサイドシーム部を剥離して前後方向に伸展した状態をその内面から見た一部破断展開平面図。
【図３】おむつの分解斜視図。
【図４】吸液構造体の一部破断分解斜視図。
【図５】図１のＶ−Ｖ線に沿う模式断面図。
【図６】図１のＶＩ−ＶＩ線に沿う模式的断面図。
【図７】クロッチ本体の垂れ下がり評価の測定の様子を示す図。
【発明を実施するための形態】
【００１５】
図１〜３を参照すれば、本発明の使い捨て着用物品の一例として示す使い捨ておむつ１０は、縦方向Ｙ及びそれに直交する横方向Ｘと、横方向Ｘの幅寸法を二等分する仮想縦中心線Ｐ−Ｐと、縦方向Ｙの長さ寸法を二等分する仮想横中心線Ｑ−Ｑとを有する。
【００１６】
おむつ１０は、肌対向面及びそれに対向する非肌対向面と、ウエスト回り方向に延びる環状の弾性ウエストパネル１１と、弾性ウエストパネル１１の非肌対向面に取り付けられたクロッチ本体１２と、前ウエスト域１３と、後ウエスト域１４と、前後ウエスト域１３，１４間を縦方向Ｙに延びるクロッチ域１５とを含む。
【００１７】
おむつ１０は、仮想中心線Ｐ−Ｐに関して対称に形成されており、弾性ウエストパネル１１は、前ウエスト域１３を形成する前ウエストパネル１６と、後ウエスト域１４を形成する後ウエストパネル１７とから構成される。
【００１８】
前ウエストパネル１６は、クロッチ本体１２と交差し、横方向Ｘへ延びる内端縁１６ａと、縦方向Ｙにおいて内端縁１６ａと離間対向して横方向Ｘへ延びる外端縁１６ｂと、内外端縁１６ａ，１６ｂ間において縦方向Ｙへ延びる両側縁１６ｃ，１６ｄとによって横長矩形状に形成される。
【００１９】
後ウエストパネル１７は、前ウエストパネル１６とほぼ同形同大であって、クロッチ本体１２と交差し、横方向Ｘへ延びる内端縁１７ａと、縦方向Ｙにおいて内端縁１７ａと離間対向して横方向Ｘへ延びる外端縁１７ｂと、内外端縁１７ａ，１７ｂ間において縦方向Ｙへ延びる両側縁１７ｃ，１７ｄとによって横長矩形状に形成される。
【００２０】
前ウエストパネル１６の両側縁１６ｃ，１６ｄと後ウエストパネル１７の両側縁１７ｃ，１７ｄとは、互いに重ね合わされて、縦方向Ｙに間欠的に並ぶ複数のサイドシーム部２０によって連結され、ウエスト開口２１及び一対のレッグ開口２２とが画成されている（図１参照）。サイドシーム部２０は、公知の接合手段、例えば、熱エンボス加工、ソニック加工等の各種の熱溶着手段によってなされる。
【００２１】
前ウエストパネル１６は、肌対向面側に位置する第１内面シート２３と、非肌対向面側に位置する第１外面シート２４を有する。第１内外面シート２３，２４は、質量約１０〜３０ｇ／ｍ２の不透液性のＳＭＳ（スパンボンド・メルトブローン・スパンボンド）繊維不織布若しくはスパンボンド不織布、または、プラスチックシートやそれらのラミネートシートとから形成することができる。両シート２３，２４は、少なくともいずれか一方の内面に間欠的に塗布されたホットメルト接着剤又は前記熱溶着手段によって接合される。
【００２２】
両シート２３，２４間には、横方向Ｘへ延びる複数条のストランド状又はストリング状の前ウエスト弾性要素２５が配設されている。前ウエストパネル１６は、前ウエス弾性要素２５が配設されていることによって少なくとも横方向Ｘへ弾性的に伸縮可能である。なお、両シート２３，２４は、前ウエスト弾性要素２５のほぼ全周縁に塗布したホットメルト接着剤を介してのみ互いに接合されていてもよい。
【００２３】
前ウエスト弾性要素２５は、前ウエストパネル１６の外端縁１６ｂに沿って横方向Ｘへ延びる前上方ウエスト弾性要素２５Ａと、内端縁１６ａに沿って横方向Ｘへ延びる前下方ウエスト弾性要素２５Ｂとから構成される。前下方ウエスト弾性要素２５Ｂの上方側は、前上方ウエスト弾性要素２５Ａに比して密の状態で配設され、前上方ウエスト弾性要素２５Ａと前下方ウエスト弾性要素２５Ｂとの間には、弾性要素が配設されていない非弾性域２６が画成されている。
【００２４】
後ウエストパネル１７は、肌対向面側に位置する第２内面シート２８と、非肌対向面側に位置する第２外面シート２９を有する。第２内外面シート２８，２９は、質量約１０〜３０ｇ／ｍ２の不透液性のＳＭＳ（スパンボンド・メルトブローン・スパンボンド）繊維不織布若しくはスパンボンド不織布、または、プラスチックシートやそれらのラミネートシートとから形成される。両シート２８，２９は、少なくともいずれか一方の内面に塗布されたホットメルト接着剤又は前記熱溶着手段よって接合されている。
【００２５】
両シート２８，２９間には、横方向Ｘへ延びる複数条のストランド状又はストリング状の弾性要素からなる後ウエスト弾性要素３０が配設されている。後ウエストパネル１７は、後ウエス弾性要素３０が配設されていることによって少なくとも横方向Ｘへ弾性的に伸縮可能である。なお、両シート２８，２９は、後ウエスト弾性要素３０を構成する各弾性要素のほぼ全周縁に塗布したホットメルト接着剤を介してのみ互いに接合されていてもよい。
【００２６】
後ウエスト弾性要素３０は、後ウエストパネル１７の外端縁１７ｂに沿って横方向Ｘへ延びる後上方ウエスト弾性要素３０Ａと、内端縁１７ａに沿って横方向Ｘへ延びる後下方ウエスト弾性要素３０Ｂとから構成されている。後下方ウエスト弾性要素３０Ｂの上方側は、後上方ウエスト弾性要素３０Ａよりも密に配設されており、後上方ウエスト弾性要素３０Ａと後下方ウエスト弾性要素３０Ｂとの間には、弾性要素が配設されていない非弾性域３１が画成されている。
【００２７】
図１及び２に示すとおり、前後ウエスト域１３，１４を横方向Ｘへ伸長させた状態における、前ウエスト域１３（後ウエスト域１４）のウエスト開口縁部２１ａの横方向Ｘの長さ寸法Ｌ１は、おむつ１０がＭサイズの場合において、約４５０〜５５０ｍｍ、Ｌサイズの場合において、約５５０〜６５０ｍｍである。
【００２８】
クロッチ本体１２は、縦長の略矩形状であって、前ウエストパネル１６の非肌対向面（外面）に取り付けられた前端部１２Ａと、後ウエストパネル１７の非肌対向面に取り付けられた後端部１２Ｂと、前後端部１２Ａ，１２Ｂ間において縦方向Ｙへ延びる中間部１２Ｃとを有する。また、クロッチ本体１２は、クロッチ積層シート３４と、クロッチ積層シート３４の肌対向面（内面）に配置された吸液構造体３５と、吸液構造体３５の上面に位置する透液性シートから形成された身体側ライナ３６とを有する。
【００２９】
なお、後記の本願発明の効果を奏する限りにおいて、本願のおむつ１０は、前後ウエスト域１３，１４とクロッチ域１５とが別体ではなく、一体に形成されたシャーシから構成されているものであってもよい。その場合には、吸液構造体３５はシャーシの内面に固定又は吊持させることができる。
【００３０】
図６に示すとおり、クロッチ積層シート３４と吸液構造体３５とは、それらの対向面に塗布されたホットメルト接着剤から形成された構造体接合域３７を介して互いに接合されている。具体的には、吸液構造体３５は、クロッチ域１５の中央部に位置する接合部位３７Ａと、前後ウエスト域１３，１４に位置する接合部位３７Ｂ，３７Ｃとにおいてクロッチ積層シート３４の内面に固定されており、おむつ１０の着用中において、その一部がクロッチ積層シート３４の内面から離間して吊持された状態となっている。
【００３１】
図２及び３を参照すると、クロッチ積層シート３４は、少なくとも一方が不透液性の繊維不織布シート又はプラスチックフィルムから形成された内外面クロッチシート３８，３９によって形成される。また、内外面クロッチシート３８，３９は、両シート３８，３９のうちのいずれか一方のシートの内面に塗布されたホットメルト接着剤（図示せず）を介して互いに接合され、それらの両側部は、内方へ折り曲げられて、縦方向へ延びる一対のサイド弾性部４０が形成される。
【００３２】
各サイド弾性部４０には、縦方向Ｙへ延びる複数条のストランド状又はストリング状からなる第１レッグ弾性要素４１と第２レッグ弾性要素４２とが配設されており、少なくとも縦方向Ｙにおいて弾性化されている。第１レッグ弾性要素４１はサイド弾性部４０の内側縁４０ａに沿って縦方向Ｙへ直状に延びており、第２レッグ弾性要素４２は、クロッチ域１５の中央部において内方へ凹曲し、前後ウエスト域１３，１４に向かって延びている。第１及び第２レッグ弾性要素４１，４２は、前記の内外面クロッチシート３８，３９のうちのいずれか一方の内面に塗布されたホットメルト接着剤（図示せず）を介して両シート３８，３９間に縦方向Ｙに伸長された状態で固定される。
【００３３】
第２レッグ弾性要素４２は、その中央部４２ａが縦軸Ｐに向かって凸曲しているので、局所的にそれら弾性部材による伸長応力が高められる。それにより、着用者の脚回りに対向するサイド弾性部４０の中央部近傍が着用者の身体に密着し、レッグ開口縁部からの排泄物の横漏れを効果的に防止することができる。
【００３４】
クロッチ本体１２は、前端部１２Ａ及び後端部１２Ｂの肌対向面にホットメルト接着剤を塗布して形成された前接合域４５と後接合域４６とにおいて前後ウエストパネル１６，１７の外面に取り付けられる。このように、クロッチ本体１２の前後端部１２Ａ，１２Ｂを前後ウエストパネル１６，１７の外面に取り付けることによって、それらを前後ウエストパネル１６，１７の内面に取り付ける場合に比して、排泄物収容スペースＳを大きく形成することができる（図６参照）。なお、排泄物収容スペースＳが所要の大きさを有する限りにおいて、前後ウエスト域１３，１４のうちのいずれか一方のみが前後ウエストパネル１６，１７の外面に取り付けられていればよい。
【００３５】
前後接合域４５，４６は、クロッチ域１５に向かって開口した凹状を有し、それぞれ、サイド弾性部４０の肌対向面にホットメルト接着剤を塗布して形成された両側部４８と、両側部４８間において、横方向Ｘへ延びる中央部４９とを有する。中央部４９は、吸液構造体３５の存在域よりも縦方向Ｙの外方に位置しており、両側部４８と中央部４９との間には、ホットメルト接着剤が塗布されていない非接合域５０が画成される。なお、本実施形態において、前接合域４５の両側部４８は段差状、後接合域４６の両側部４８は矩形状を有しているが、それらの形状に制限されるものではなく、前後接合域４５，４６の両側部４８は、段差状、矩形状、曲状などの各種の形状を有していてもよい。
【００３６】
このように、前後接合域４５，４６間に非接合域５０が画成されることによって、図６に示すとおり、非接合域５０には前後ウエストパネル１６，１７とクロッチ本体１２との間において前後ポケット（空間部）５１，５２が形成される。前後ポケット５１，５２が形成されることによって収容スペースＳをより大きくすることができるとともに、後記のように、クロッチ本体１２が排泄物の自己質量によって弾性ウエストパネル１１に吊持されるような形態を呈することができる。
【００３７】
図４に示すとおり、吸液構造体３５は、水溶性かつ自己質量の１０倍以上の吸水力を有するいわゆる高吸収性ポリマー粒子（単に、吸収性ポリマー粒子ともいう。）のみから形成された吸収性コア６０と、肌対向面側に位置する質量約８〜１５ｇ／ｍ２、好ましくは、質量約１０ｇ／ｍ２の透水性の繊維不織布から形成された上面シート６１と、非肌対向面側に位置する質量約８〜１５ｇ／ｍ２、好ましくは、１１ｇ／ｍ２の透水性または難透水性のＳＭＳ繊維不織布から形成された下面シート６２とを含む。
【００３８】
また、吸液構造体３５は、吸収性コア６０が配置された、縦方向Ｙへ所与寸法離間する略矩形状に画成された吸液域６３と、吸収性コア６０が実質的に配置されていない、吸液域６３を取り囲むように形成された非吸液域６４とを有する。なお、本実施形態において、吸液域６３は、８つの区域に区分されているが、吸液構造体３５の要する吸収性能に応じてその面積、区域数を適宜変更することができる。また、後記の本発明の効果を奏する限りにおいて、吸収性コア６０は、高吸収性ポリマー粒子のみならずフラッフパルプや熱可塑性繊維などの公知の材料を一部に含むものであってもよい。
【００３９】
吸液域６３では、下面シート６２の内面に塗布されたホットメルト接着剤６６を介して質量約３０〜３００ｇ／ｍ２、好ましくは、質量約４０〜２８０ｇ／ｍ２の高吸水性ポリマー粒子がほぼ一様に固定されている。吸液域６３では、上面シート６１と下面シート６２とが部分的に固定されているか又はそれらが互いに固定されていないことが好ましい。
【００４０】
非吸液域６４では、すなわち、吸液域６３間の離間部位及び吸液構造体３５の外周縁沿い全域においては、ホットメルト接着剤６６を介して上下面シート６１，６２が互いに接合されている。
【００４１】
このように、吸液構造体３５は、高吸収性ポリマー粒子のみから形成された吸収性コア６０とそれを被包するシート部材とのみから形成されシート状を有しているので、吸収性コア６０が高吸水性ポリマー粒子とフラッフパルプとの混合物から形成されている場合に比して薄く、クロッチ本体１２の動きに対する応動性に優れている。また、上下面シート６１，６２が非吸液域６４において安定的に固定されていることによって所要の剥離強度を有するとともに、上下面シート６１，６２の内面全体が固定されている場合に比して高い可撓性を有するものといえる。さらに、吸液域６３において高吸水性ポリマー粒子が一様に固定されていることから、着用者の動作及び姿勢のいかんにかかわらず、その分布に偏りを生じることはない。
【００４２】
また、吸液域６３において、高吸水性ポリマー粒子が許容量の限度まで配置されてその一部がホットメルト接着剤６６を介して固定されておらず、吸液域６３内において移動可能に包含されていてもよい。その場合には、吸液域６３が袋状を呈し、その内部に包含可能な高吸水性ポリマー粒子の総量の上限は、質量約４００ｇ／ｍ２である。かかる場合には、非吸液域６４は、吸液域６３から移動可能な高吸収性ポリマー粒子がこぼれ出るのを防止するために吸液域６３の周縁を封止するシール部としての機能を果たしうるが、製造工程において、高吸収性ポリマー粒子の一部が、吸液域６３における高吸収性ポリマー粒子の単位面積当たりの所要質量よりも少ない範囲において、非吸液域６４に配置されることがある。
【００４３】
吸液構造体３５を含むクロッチ本体１２の略中央部の厚さは、具体的には、約５．０ｍｍ以下である。また、そのカンチレバー剛軟度は、約１５〜１４０ｍｍである。ここで、クロッチ本体１２の略中央部とは、クロッチ本体１２の縦方向Ｙにおける中央部であり、後記段落００４５に記載されているように、仮想横中心線Ｑ−Ｑを中心として縦方向Ｙの寸法が１５０ｍｍの範囲にある部位をいう。
【００４４】
＜厚さ測定方法＞
クロッチ本体１２の中央部の厚さは、厚さ測定器（ＰＥＡＣＯＣＫ社製）を用いて（測定子の直径約１０〜２０ｍｍ）測定することができる。
【００４５】
＜カンチレバー剛軟度の測定方法＞
ＪＩＳＬ１０９６のカンチレバー法に準拠し、おむつ１０のクロッチ本体１２の中央部からサンプル（横方向Ｘの長さ寸法５０ｍｍ，縦方向Ｙの長さ寸法１５０ｍｍ）を切り取り、各サンプルの肌対向面と非肌対向面とを測定する。測定回数（ｎ）は、３とする。
【００４６】
なお、吸液構造体３５は、所要の吸液性能と、上記の厚さ寸法による柔軟性を有する限りにおいて、吸液域６３と非吸液域６４に区画されたものではなく、吸液域６３が全域に形成されたシート状のものであってもよい。
【００４７】
図５に示すとおり、サイド弾性部４０の一方の内側縁４０ａから他方の内側縁４０ａまでの長さ寸法（吸収スペースＳの外周囲の長さ寸法）Ｌ２は、約３８０〜４５０ｍｍである。サイド弾性部４０は、おむつ１０の着用状態において、吸液構造体３５から離間して着用者の鼠径部に当接し、クロッチ本体１２は弾性ウエストパネル１１に吊持された袋状の形態を呈する。かかる着用状態において、排泄物がクロッチ本体１２内に排泄された場合には、自己質量によってクロッチ本体１２が着用者の臀部から離間し、着用者と吸液構造体３５との間に排泄物を保持するための、通常の使い捨ておむつに比べて大容量の排泄物収容スペースＳを形成される。おむつ１０は、この種の他の物品に比して大容量の排泄物収容スペースＳを有するので、比較的に多量の排泄物を保持することができるとともに、着用者の臀部から離間した状態でクロッチ本体１２がハンモック状に吊持され、排泄物によって着用者の臀部が汚れるのを抑えることができる。
【００４８】
また、図６に示すとおり、吸液構造体３５は吸収性コア６０が高吸収性ポリマー粒子のみから形成されていることから比較的に薄く、かつ、剛性が低いシート形状を有するものであるから、着用者の身体の動きに応動し易く、その着用状態において、クロッチ本体１２内において吊持された状態となる。したがって、吸液構造体３５は、その肌対向面側のみならず非肌対向面側からも体液を吸収することができ、効率的である。また、吸液構造体３５は、比較的に可撓性が高いことから、クロッチ積層シート３４の動きに応動し、すなわち、サイド弾性部４０が伸長されることによって形成された防漏壁部６８に沿って湾曲した形状を有し、排泄前においてよりクロッチ本体１２が全体的に膨らんだ袋状の形態を呈することができる。
【００４９】
図７は、排泄後における、おむつ１０のクロッチ域１５の垂れ下がり評価に関する測定の様子を示す図である。本評価は、以下の手順に従って行う。
【００５０】
まず、エアドール７０におむつ１０（Ｌサイズ）を装着させて、クロッチ域１５の最下部の位置Ｄ１（ウエスト開口縁部２１ａから最下部までの長さ寸法）を記録する。次に、おむつ１０内に１５０ｇの人工尿を注入して、３分経過した後のクロッチ域１５の最下部の位置Ｄ２を記録する。最後に、最初に記録したクロッチ域１５の最下部の位置Ｄ１と人工尿を注入して３分経過した後のクロッチ域１５の最下部の位置Ｄ２とを比較して、排泄前後における下方への移動距離Ｔ（ｍｍ）を測定する。エアドール７０は、大人（男女問わず）の標準的な体型を想定したものであって、具体的には、ウエスト回りの長さ寸法は約７３ｍｍ，臀部の周囲の長さ寸法は約９０ｍｍ，大腿部の周囲の長さ寸法は約４９ｍｍである。また、人工尿の注入量は、大人が１度に排泄する尿の平均量約１５０ｇに基づくものである。
【００５１】
測定の結果、クロッチ域１５の最下部の位置Ｄ１，Ｄ２の移動距離Ｔは、約５０ｍｍであった。また、従来のおむつ１０とほぼ同様の構成を有する他の使い捨ておむつについても同測定を行った場合には、その移動距離Ｔは約１０〜３０ｍｍであった。したがって、本発明に係るおむつ１０は、他の一般的なおむつと比べて、排泄前との比較において排泄後においてよりクロッチ本体１２が下方に垂れ下がり、着用者の身体から離間するものといえる。よって、クロッチ本体１２の吸液構造体３５に吸収された及び／または吸収スペースＳに保持された排泄物が着用者の身体に付着することはないので、着用者に不快感を与えることはなく、長時間排泄物が肌に付着することによるかぶれや発疹が生じるのを防止することができる。
【００５２】
また、前記のように、サイド弾性部４０の内側縁４０ａ近傍が着用者の鼠径部に密着することによって、サイド弾性部４０がクロッチ本体１２の下面から上方に立ち上がり、防漏壁６８を形成するので、レッグ開口縁部からの排泄物の横漏れを確実に防止することができる。
【００５３】
本発明のおむつ１０において、かかる効果を奏する理由として、吸液構造体３５が比較的に薄くその剛性が低いためにクロッチ積層シート３４の動きに応動し、排泄前においてクロッチ本体１２が袋のように膨らんだ形状を有し、排泄物の自己質量によってそれが下方に垂れ下がることが挙げられる。また、収容スペースＳの外周囲寸法であるサイド弾性部４０の一方の内側縁４０ａから他方の内側縁４０ａまでの長さ寸法Ｌ２がおむつ１０の大きさ（サイズ）との関係において、相対的に大きいことが理由であるといえる。したがって、かかる構成を有する限りにおいて、本発明による効果は、前後ウエスト域１３，１４とクロッチ域１５とが別体に形成されたものではなく、それらが一体の部材によって形成された場合においても奏しうるものである。
【００５４】
おむつ１０全体の大きさに対する収容スペースＳの大きさは、おむつのサイズの指標となるウエスト開口２１の内周囲の長さ寸法、若しくは、その２分の１の大きさである前後ウエスト域１３，１４のウエスト開口縁部２１ａの横方向Ｘにおける長さ寸法Ｌ１と、両サイド弾性部４０の一方の内側縁４０ａから他方の内側縁４０ａまでの長さ寸法Ｌ２との寸法比（Ｌ２／Ｌ１）によって表すことができると考えられる。
【００５５】
すなわち、寸法比（Ｌ２／Ｌ１）が小さな場合には、おむつ１０の大きさ（サイズ）に対してクロッチ本体１２内の収容スペースＳが比較的に小さいことを意味するので、排泄前においてクロッチ本体１２が大きく膨らんだ形状を有することはない。したがって、排泄物の自己質量によってクロッチ本体１２が垂れ下がったとしても、その移動距離Ｔは小さく、クロッチ本体１２を着用者の身体から十分に離間させることができない。
【００５６】
一方、寸法比（Ｌ２／Ｌ１）が大きな場合には、おむつ１０の大きさ（サイズ）に対して十分な吸収容量を有する吸収スペースＳが形成されることを意味するので、排泄前においてクロッチ本体１２は大きく膨らんだ形状を有する。したがって、排泄後において排泄物の自己質量によってクロッチ本体１２は下方に比較的に大きく垂れ下がり、その移動距離Ｔは比較的に大きなものとなって、着用者の身体に排泄物が付着しない程度にまで十分にクロッチ本体１２を離間させることができる。
【００５７】
本発明に係る大人用のおむつ１０の各サイズＳ〜ＬＬにおける長さ寸法比（Ｌ２／Ｌ１）は、以下の表１に記載のとおりである。なお、本発明におけるサイド弾性部４０の一方の内側縁４０ａから他方の内側縁４０ａまでの長さ寸法Ｌ２は、各サイズにおいて一定であって約４１０ｍｍである。また、一般的な大人用の各おむつの場合において、具体的には、本実施形態のＬ１に相当する前ウエスト域の幅寸法が約４００〜９００ｍｍ、Ｌ２に相当するレッグ開口縁部の内側縁間の幅寸法が約１８０〜２５０ｍｍである各サイズ（Ｓサイズ〜ＬＬサイズ）のおむつについて、同様の測定を行ったところ、かかる寸法比は、平均して約０．３７であった。したがって、Ｌ２に相当する幅寸法は、Ｌ１に相当する幅寸法に対して約０．３７倍であるといえる。
【００５８】
【表１】
0005846756.tif 000002
【００５９】
上記表１のとおり、本願発明に係る大人用のおむつ１０の各サイズにおける幅寸法Ｌ１，Ｌ２の比は、約０．５〜１．０の範囲内であって、すなわち、サイド弾性部４０の内側縁４０ａ間の長さ寸法（Ｌ２）は、前ウエスト域１３のウエスト開口縁部の長さ寸法Ｌ１の約０．５〜１．０倍であるといえる。このように、一般的なおむつの場合に比べて、おむつ１０の全体寸法に対して長さ寸法Ｌ２が所要の大きさを有するものであるから、排泄前において十分な収容容量を有する収容スペースＳを形成される程度にクロッチ本体１２は大きく膨らんだ形状を有するものといえる。したがって、前記のとおり、クロッチ域１５の最下部の位置Ｄ１，Ｄ２の移動距離Ｔは所要程度の大きさを有するものであって、クロッチ本体１２を着用者の身体から十分に離間させることができ、排泄物が身体に付着するのを抑制することができる。
【００６０】
おむつ１０を構成する各構成部材には、本明細書に記載されている材料のほかに、この種の物品において通常用いられている各種の公知の材料を制限なく用いることができる、また、本発明の明細書及び特許請求の範囲において、「第１」および「第２」の用語は、同様の要素、位置などを単に区別するために用いられている。
【符号の説明】
【００６１】
１０  使い捨て着用物品（使い捨ておむつ）
１１  弾性ウエストパネル
１２  クロッチ本体
１３  前ウエスト域
１４  後ウエスト域
１５  クロッチ域
３４  クロッチ積層シート（不透液性シート）
３５  吸液構造体
４０  サイド弾性部
４０ａ  サイド弾性部の内側縁
４１  第１レッグ弾性要素
４２  第２レッグ弾性要素
４９  接合域（前後接合域）
５０  非接合域（非接合部位）
５１，５２  空間部（前後ポケット）
Ｘ  横方向
Ｙ  縦方向
【図１】
0005846756.tif 000003
【図２】
0005846756.tif 000004
【図３】
0005846756.tif 000005
【図４】
0005846756.tif 000006
【図５】
0005846756.tif 000007
【図６】
0005846756.tif 000008
【図７】
0005846756.tif 000009